(57)【要約】【課題】  複数の交換網に接続された交換機において、交換網での通信状況に応じてより適切な交換網を介して音声パスを接続する。【解決手段】  回線交換網及びパケット交換網の両方に接続された交換機が電話端末からの要求に応じて音声パスを接続する。回線交換網及びパケット交換網のいずれかである第１の交換網を経由する音声パスの接続を要求する第１の接続要求を、電話端末から交換機に対して行う。交換機が、第１の交換網の通信状況に応じて、第１の接続要求に対する応否を電話端末に通知すると、応否に応じて、第１の交換網と異なる交換網である第２の交換網を経由する音声パスの接続を要求する第２の接続要求を、電話端末から交換機に対して行う。第２の接続要求に応じて、交換機が第２の交換網を経由する音声パスの接続を行う。【選択図】図１
2007134853.tif 000002
【特許請求の範囲】
【請求項１】
回線交換網及びパケット交換網の両方に接続された交換機が電話端末からの要求に応じて音声パスを接続する方法において、
回線交換網及びパケット交換網のいずれかである第１の交換網を経由する音声パスの接続を要求する第１の接続要求を、電話端末から交換機に対して行う段階と、
交換機が、第１の交換網の通信状況に応じて、第１の接続要求に対する応否を電話端末に通知する段階と、
応否に応じて、第１の交換網と異なる交換網である第２の交換網を経由する音声パスの接続を要求する第２の接続要求を、電話端末から交換機に対して行う段階と、
交換機が、第２の接続要求に応じて、第２の交換網を経由する音声パスの接続を行う段階とを含むことを特徴とする音声パス接続方法。
【請求項２】
請求項１に記載の音声パス接続方法において、更に、交換機が、第２の交換網の通信状況に応じて、第２の接続要求に対する応否を電話端末に通知する段階を含むことを特徴とする音声パス接続方法。
【請求項３】
電話端末からの音声パスの接続要求に応じて音声パスを当該電話端末に接続する処理を行う交換機において、
回線交換網及びパケット交換網の両方に接続して用いる交換機であって、
電話端末の回線交換網インタフェース回路と接続される回線交換網インタフェース回路と、
電話端末のパケット交換網インタフェース回路と接続されるパケット交換網インタフェース回路と、
前記回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を電話端末から受けると、第１の交換網の通信状況に基づいて応否を判定し、第１のインタフェース回路を介して当該電話端末に通知すると共に、前記応否の通知に対する応答として、第１のインタフェース回路以外のインタフェース回路である第２のインタフェース回路を介して、第１の交換網以外の交換網である第２の交換網を経由する音声パスの接続要求である第２の接続要求を電話端末から受けて、第２の接続要求に応じて当該電話端末に音声パスを接続する処理を実行する制御部と
を備えることを特徴とする交換機。
【請求項４】
請求項３に記載の交換機において、制御部は、第２の交換網の通信状況に応じて、第２の接続要求に対する応否を判定し、第２のインタフェース回路を介して当該電話端末に通知することを特徴とする交換機。
【請求項５】
電話端末からの音声パスの接続要求に応じて音声パスを当該電話端末に接続する処理を行う交換機の制御部にて実行されるコンピュータプログラムにおいて、
回線交換網及びパケット交換網の両方に接続して用いる交換機であって、電話端末の回線交換網インタフェース回路と接続される回線交換網インタフェース回路と、電話端末のパケット交換網インタフェース回路と接続されるパケット交換網インタフェース回路とを備える交換機にて実行されるコンピュータプログラムであって、
回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を電話端末から受ける処理と、
第１の交換網の通信状況に基づいて、第１の接続要求の応否を判定する処理と、
第１のインタフェース回路を介して、第１の接続要求に対する応否を電話端末に通知する処理と、
前記応否の通知に対する応答として、第１のインタフェース回路以外のインタフェース回路である第２のインタフェース回路を介して、第１の交換網以外の交換網である第２の交換網を経由する音声パスの接続要求である第２の接続要求を電話端末から受ける処理と、
第２の接続要求に応じて電話端末に音声パスを接続する処理と
を制御部に実行させることを特徴とするコンピュータプログラム。
【請求項６】
請求項５に記載のコンピュータプログラムにおいて、更に、
第２の交換網の通信状況に応じて、第２の接続要求に対する応否を判定する処理と、
第２のインタフェース回路を介して、第２の接続要求に対する応否を当該電話端末に通知する処理と
を制御部に実行させることを特徴とするコンピュータプログラム。
【請求項７】
電話端末において、
回線交換網インタフェース回路とパケット交換網インタフェース回路の両方を備え、
前記回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を交換機に対して送信し、
第１の交換網の通信状況に基づいて判定された第１の接続要求に対する応否を前記交換機から受信し、
前記応否に応じて、第１のインタフェース回路以外のインタフェース回路である第２のインタフェース回路を介して、第１の交換網以外の交換網である第２の交換網を経由する音声パスの接続要求である第２の接続要求を交換機に対して送信する
ことを特徴とする電話端末。
【請求項８】
電話端末の制御部にて実行されるコンピュータプログラムにおいて、
回線交換網インタフェース回路とパケット交換網インタフェース回路の両方を備える電話端末の制御部にて実行されるコンピュータプログラムであって、
前記回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を交換機に対して送信する処理と、
第１の交換網の通信状況に基づいて判定された第１の接続要求に対する応否を前記交換機から受信する処理と、
前記応否に応じて、第１のインタフェース回路以外のインタフェース回路である第２のインタフェース回路を介して、第１の交換網以外の交換網である第２の交換網を経由する音声パスの接続要求である第２の接続要求を交換機に対して送信する処理と
を制御部に実行させることを特徴とするコンピュータプログラム。
【請求項９】
交換機及び電話端末を備え、回線交換網及びパケット交換網のいずれかを経由する音声パスを交換機を介して端末に接続する通信システムにおいて、
交換機は、回線交換網及びパケット交換網の両方に接続して用いる交換機であって、
交換機は、電話端末の回線交換網インタフェース回路と接続される回線交換網インタフェース回路と、電話端末のパケット交換網インタフェース回路と接続されるパケット交換網インタフェース回路と、前記回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を電話端末から受けると、第１の交換網の通信状況に基づいて応否を判定し、第１のインタフェース回路を介して当該電話端末に通知すると共に、前記応否の通知に対する応答として、第１のインタフェース回路以外のインタフェース回路である第２のインタフェース回路を介して、第１の交換網以外の交換網である第２の交換網を経由する音声パスの接続要求である第２の接続要求を電話端末から受けて、第２の接続要求に応じて当該電話端末に音声パスを接続する処理を実行する制御部とを備え、
電話端末のうち、少なくとも一機は、回線交換網インタフェース回路とパケット交換網インタフェース回路の両方を備え、前記回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を交換機に対して送信し、第１の交換網の通信状況に基づいて判定された第１の接続要求に対する応否を前記交換機から受信し、前記応否に応じて、第１のインタフェース回路以外のインタフェース回路である第２のインタフェース回路を介して、第１の交換網以外の交換網である第２の交換網を経由する音声パスの接続要求である第２の接続要求を交換機に対して送信する
ことを特徴とする通信システム。
【発明の詳細な説明】
【技術分野】
【０００１】
本発明は電話交換システムに関し、特に、回線交換網とパケット交換網の両方に接続して使用される交換機に関する。
【背景技術】
【０００２】
ＩＰ電話の普及に伴い、多くの構内交換機がＩＰ電話に対応するようになっている。例えば特許文献１には、回線交換網とパケット交換網の両方に接続して用いられる通信端末装置が記載されている。
【０００３】
この種の通信端末装置では、回線交換網とパケット交換網のいずれかを発信の際に選択するが、この選択に際して、従来、接続先に応じて通信端末装置側で使用すべき交換網を選択していた。
【０００４】
【特許文献１】特開２００４―７２３３２（第００１３段落等）
【発明の開示】
【発明が解決しようとする課題】
【０００５】
従来の技術では、選択した交換網を介して通信困難或いは不可能ではあるが、選択していない交換網では通信可能な状況であっても、通信困難或いは不可能な交換網を選択してしまうことがある。つまり、従来の技術によれば、本来であればより良い通信品質で通信可能な交換網が利用可能であるにも関わらず、悪条件の交換網を介して通信を行う、或いは通信できない場合があった。
【０００６】
具体的には、通信品質を重視して公衆電話交換網を優先的に選択して発信するように設定されている状況下において、公衆電話交換網の回線は全て使用中のため発信できないが、ＩＰ網の帯域には余裕がある場合や、逆に、通信コストを重視してＩＰ網を優先的に選択して発信するように設定されている状況下において、ＩＰ網の帯域には新たに通話を確立するだけの余裕がないが、公衆電話交換網の回線には空きがある場合がある。
【０００７】
本発明は係る状況に鑑みてなされたものであり、本発明が解決しようとする課題は、複数の交換網に接続された交換機において、交換網での通信状況に応じてより適切な交換網を介して発信するための技術を提供することである。
【課題を解決するための手段】
【０００８】
上述の課題を解決するため、本発明は、回線交換網及びパケット交換網の両方に接続された交換機が電話端末からの要求に応じて音声パスを接続する方法において、回線交換網及びパケット交換網のいずれかである第１の交換網を経由する音声パスの接続を要求する第１の接続要求を、電話端末から交換機に対して行う段階と、交換機が、第１の交換網の通信状況に応じて、第１の接続要求に対する応否を電話端末に通知する段階と、応否に応じて、第１の交換網と異なる交換網である第２の交換網を経由する音声パスの接続を要求する第２の接続要求を、電話端末から交換機に対して行う段階と、交換機が、第２の接続要求に応じて、第２の交換網を経由する音声パスの接続を行う段階とを含むことを特徴とする音声パス接続方法を提供する。
【０００９】
更に、交換機が、第２の交換網の通信状況に応じて、第２の接続要求に対する応否を電話端末に通知する段階を含むこととしてもよい。
【００１０】
また、本発明は、電話端末からの音声パスの接続要求に応じて音声パスを当該電話端末に接続する処理を行う交換機において、回線交換網及びパケット交換網の両方に接続して用いる交換機であって、電話端末の回線交換網インタフェース回路と接続される回線交換網インタフェース回路と、電話端末のパケット交換網インタフェース回路と接続されるパケット交換網インタフェース回路と、回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を電話端末から受けると、第１の交換網の通信状況に基づいて応否を判定し、第１のインタフェース回路を介して当該電話端末に通知すると共に、応否の通知に対する応答として、第１のインタフェース回路以外のインタフェース回路である第２のインタフェース回路を介して、第１の交換網以外の交換網である第２の交換網を経由する音声パスの接続要求である第２の接続要求を電話端末から受けて、第２の接続要求に応じて当該電話端末に音声パスを接続する処理を実行する制御部とを備えることを特徴とする交換機を提供する。
【００１１】
制御部は、第２の交換網の通信状況に応じて、第２の接続要求に対する応否を判定し、第２のインタフェース回路を介して当該電話端末に通知することとしてもよい。
【００１２】
また、本発明は、電話端末からの音声パスの接続要求に応じて音声パスを当該電話端末に接続する処理を行う交換機の制御部にて実行されるコンピュータプログラムにおいて、回線交換網及びパケット交換網の両方に接続して用いる交換機であって、電話端末の回線交換網インタフェース回路と接続される回線交換網インタフェース回路と、電話端末のパケット交換網インタフェース回路と接続されるパケット交換網インタフェース回路とを備える交換機にて実行されるコンピュータプログラムであって、回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を電話端末から受ける処理と、第１の交換網の通信状況に基づいて、第１の接続要求の応否を判定する処理と、第１のインタフェース回路を介して、第１の接続要求に対する応否を電話端末に通知する処理と、応否の通知に対する応答として、第１のインタフェース回路以外のインタフェース回路である第２のインタフェース回路を介して、第１の交換網以外の交換網である第２の交換網を経由する音声パスの接続要求である第２の接続要求を電話端末から受ける処理と、第２の接続要求に応じて電話端末に音声パスを接続する処理とを制御部に実行させることを特徴とするコンピュータプログラムを提供する。
【００１３】
更に、第２の交換網の通信状況に応じて、第２の接続要求に対する応否を判定する処理と、第２のインタフェース回路を介して、第２の接続要求に対する応否を当該電話端末に通知する処理とを制御部に実行させることとしてもよい。
【００１４】
また、本発明は、電話端末において、回線交換網インタフェース回路とパケット交換網インタフェース回路の両方を備え、回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を交換機に対して送信し、第１の交換網の通信状況に基づいて判定された第１の接続要求に対する応否を交換機から受信し、応否に応じて、第１のインタフェース回路以外のインタフェース回路である第２のインタフェース回路を介して、第１の交換網以外の交換網である第２の交換網を経由する音声パスの接続要求である第２の接続要求を交換機に対して送信することを特徴とする電話端末を提供する。
【００１５】
また、本発明は、電話端末の制御部にて実行されるコンピュータプログラムにおいて、回線交換網インタフェース回路とパケット交換網インタフェース回路の両方を備える電話端末の制御部にて実行されるコンピュータプログラムであって、回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を交換機に対して送信する処理と、第１の交換網の通信状況に基づいて判定された第１の接続要求に対する応否を交換機から受信する処理と、応否に応じて、第１のインタフェース回路以外のインタフェース回路である第２のインタフェース回路を介して、第１の交換網以外の交換網である第２の交換網を経由する音声パスの接続要求である第２の接続要求を交換機に対して送信する処理とを制御部に実行させることを特徴とするコンピュータプログラムを提供する。
【００１６】
また、本発明は、交換機及び電話端末を備え、回線交換網及びパケット交換網のいずれかを経由する音声パスを交換機を介して端末に接続する通信システムにおいて、交換機は、回線交換網及びパケット交換網の両方に接続して用いる交換機であって、交換機は、電話端末の回線交換網インタフェース回路と接続される回線交換網インタフェース回路と、電話端末のパケット交換網インタフェース回路と接続されるパケット交換網インタフェース回路と、前記回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を電話端末から受けると、第１の交換網の通信状況に基づいて応否を判定し、第１のインタフェース回路を介して当該電話端末に通知すると共に、前記応否の通知に対する応答として、第１のインタフェース回路以外のインタフェース回路である第２のインタフェース回路を介して、第１の交換網以外の交換網である第２の交換網を経由する音声パスの接続要求である第２の接続要求を電話端末から受けて、第２の接続要求に応じて当該電話端末に音声パスを接続する処理を実行する制御部とを備え、電話端末のうち、少なくとも一機は、回線交換網インタフェース回路とパケット交換網インタフェース回路の両方を備え、前記回線交換網インタフェース回路及びパケット交換網インタフェース回路のいずれかである第１のインタフェース回路を介して、回線交換網及びパケット交換網のいずれかである第１の交換網を経由する音声パスの接続要求である第１の接続要求を交換機に対して送信し、第１の交換網の通信状況に基づいて判定された第１の接続要求に対する応否を前記交換機から受信し、前記応否に応じて、第１のインタフェース回路以外のインタフェース回路である第２のインタフェース回路を介して、第１の交換網以外の交換網である第２の交換網を経由する音声パスの接続要求である第２の接続要求を交換機に対して送信することを特徴とする通信システムを提供する。
【発明の効果】
【００１７】
本発明によれば、第１の接続要求にて指定した第１の交換網の通信状況が混雑していて、新しい音声パスを確立できない場合、電話端末は続けて第２の接続要求にて第２の交換網を経由する音声パスの接続を交換機に対して要求する。第１の接続要求が認められない場合、電話端末は自動的に第２の接続要求を行う。このため、電話端末のオペレータが発信の際に交換網を選択する操作を行わなくても、適切な交換網を経由して音声パスを接続することが可能となる。
【発明を実施するための最良の形態】
【００１８】
本発明の一実施の形態である通信システム１００について図１を参照して以下に説明する。通信システム１００は主装置１０と、ｎ個の端末２０、２１、…、２ｎ（ｎは自然数）からなる。主装置１０は公衆電話回線交換網等の回線交換網３０と、ＩＰ（Ｉｎｔｅｒｎｅｔ  Ｐｒｏｔｏｃｏｌ）網等のパケット交換網４０との両方に接続されている。
【００１９】
主装置１０は、端末２０〜２９と一対一に対応する共通ポート１１０〜１１ｎと、共通ポート１１０〜１１ｎのそれぞれと接続された回線交換網インタフェース回路１２及びパケット交換網インタフェース回路１３と、回線交換網３０と接続された回線交換網インタフェース回路１４と、パケット交換網４０と接続されたパケット交換網インタフェース回路１５と、回線交換網インタフェース回路１２、１５、パケット交換網インタフェース回路１３、１４に接続された音声交換部１６と、音声交換部１６を含む主装置１０全体の動作を制御する制御部１７と、制御部１７によって読み出し及び書き込みされる状態管理テーブル１８及び端末‐チャネル割付テーブル１９とを備える。ここでは、回線交換網インタフェース回路１４は８つの音声チャネルを収容しているものとして説明する。
【００２０】
共通ポート１１０〜１１ｎ（以下総称して共通ポート１１と記す場合もある）は所謂ＬＡＮポートと同じ形状のモジュラージャックを有するが、ピンアサインが一般のものと異なる。ＲＪ−４５モジュラージャックを用いた一般的なＬＡＮポートでは、８芯のうち４芯を用いて信号を伝送し、残りの４芯は使用しないが、共通ポート１１では６乃至８芯を用いる。具体的にはＲＪ−４５の８ピンのうち、第１ピン、第２ピン、第３ピン、第６ピンの４つはパケット交換網インタフェース回路１３に接続され、残りの第４ピン、第５ピン、第７ピン、第８ピンのうち２乃至４つが回線交換網インタフェース回路１２と接続される。
【００２１】
他方、共通ポート１１のモジュラージャックに接続されるケーブルについて述べると、共通ポート１１側にはＲ−４５モジュラープラグを用いるが、端末側のモジュラープラグと使用するラインは接続される端末の種類によって異なる。
【００２２】
接続される端末が回線交換網インタフェース回路のみを備えるものの場合、つまり一般的な固定電話端末の場合、端末側にはＲ−１１モジュラープラグを用いる。ケーブル中で使用するラインは回線交換網インタフェース回路１２に接続されたピンに対応するものとなる。
【００２３】
端末がパケット交換網インタフェース回路のみを備えるものの場合、端末側にはＲ−４５モジュラープラグを用いる。使用するラインはパケット交換網インタフェース回路１３に接続された第１ピン、第２ピン、第３ピン、第６ピンに対応したものである。
【００２４】
端末が回線交換網インタフェース回路とパケット交換網インタフェース回路の両方を備える場合も端末側にはＲ−４５モジュラープラグを用いるが、使用するラインは回線交換網インタフェース回路１２に接続されたピンに対応するものと、パケット交換網インタフェース回路１３に接続されたピンに対応するものの両方となる。
【００２５】
つまり、端末には３種類あり、回線交換網インタフェース回路のみを備える端末を内線電話端末、パケット交換網インタフェース回路のみを備える端末をＩＰ電話端末、図２に示すように回線交換網インタフェース回路及びパケット交換網インタフェース回路の両方を備える端末を両用端末と以下では呼ぶものとする。
【００２６】
状態管理テーブル１８は、共通ポート１１０〜１１ｎのそれぞれに接続されている端末における回線交換網インタフェース回路とパケット交換網インタフェース回路の活性状態を記録するテーブルであり、表１のような構造を有する。表１に例示した状態管理テーブル１８には、端末２０〜２７は両用端末であり、端末２８は内線電話端末であり、端末２９はＩＰ電話端末であることが示されている。
【００２７】
【表１】
2007134853.tif 000003
【００２８】
端末‐チャネル割付テーブル１９は、主装置１０が現に交換処理の対象としている端末か否かを示すと共に、その端末が交換処理の対象であって、その接続先が回線交換網３０の場合、接続中の音声チャネルを示すテーブルであり、表２のような構造を有する。表２に例示した値では、端末２０〜２９が交換処理の対象となっていて、そのうち端末２０〜２２、２４〜２８が音声チャネルを使用している。端末２３及び２９はパケット交換網４０を介して音声通話を行っていることになる。
【００２９】
【表２】
2007134853.tif 000004
【００３０】
端末２０〜２ｎは内線電話端末、ＩＰ電話端末、両用端末のいずれかである。以下端末２０〜２ｎのいずれかを端末２と記すこともある。
【００３１】
図２を参照すると、両用端末２Ａは、端末の全体を制御する制御部５１、回線交換網インタフェース回路５２、パケット交換網インタフェース回路５３、上述した共通ポート１１と同じピンアサインのモジュラージャックを有する共通ポート５４、アナログ信号とデジタル信号の間の変換処理を行うＣＯＤＥＣ（ＣＯｄｅｒ／ＤＥＣｏｄｅｒ）を備える音声処理部５５、受話器５６、オペレータが入力操作を行う入力部５７、オペレータに各種の情報を表示する表示部５８を備える。
【００３２】
次に、主装置１０に端末２を接続したときの動作について図３を参照して説明する。
【００３３】
共通ポート１１に端末２を接続（ステップＳ１）後、制御部１７は、パケット交換網インタフェース回路１３を用いて、端末２のパケット交換網インタフェース回路が出力する信号の有無を検出する（ステップＳ２）。信号電圧が検出されると、制御部１７は、パケット交換網インタフェース回路１３によってオートネゴシエーションを行い、端末２のパケット交換網インタフェース回路を活性化する（ステップＳ３）と共に、状態管理テーブル１８におけるその端末のＩＰ状態の値を「活性」に更新する（ステップＳ４）。ステップＳ２にて端末のパケット交換網インタフェース回路からの出力信号が検出できない場合、制御部１７は状態管理テーブル１８におけるその端末のＩＰ状態の値を「非活性」に更新する（ステップＳ５）。
【００３４】
いずれの場合も、続いて、制御部１７は、回線交換網インタフェース回路１２を用いて、端末２の回線交換網インタフェース回路への給電を試みて、それに対する応答の有無を検出する（ステップＳ６）。応答がある場合、制御部１７は、回線交換網インタフェース回路１２を用いて、一般的な内線の活性化手順に従い、端末の回線交換網インタフェース回路の活性化を行う（ステップＳ７）と共に、状態管理テーブル１８の内線状態の値を「活性」に更新する（ステップＳ８）。ステップＳ６にて応答がない場合、制御部１７は、状態管理テーブル１８の内線状態の値を「非活性」に更新する（ステップＳ９）。
【００３５】
以下、ステップＳ２からＳ９を繰り返すことにより、共通ポートに接続されている端末の種類を変更したとき、主装置１０は自動的に新しい端末の種類を識別し、状態管理テーブル１８を更新することとなる。
【００３６】
次に、接続された端末２から発信があったときの主装置１０の動作について図４を参照して説明する。端末２が両用端末の場合、回線交換網インタフェース回路及びパケット交換網インタフェース回路の両方を備えるので、どちらのインタフェース回路からも発信可能であるが、ここでは信頼性を重視して図５に示すように回線交換網インタフェース回路での発信を優先して行うものとする。
【００３７】
オフフックされた内線電話端末または両用電話端末から回線交換網インタフェース回路からの音声パス接続要求を受信する（ステップＳ２１）と、制御部１７は、端末‐チャネル割付テーブル１９を参照して空いている音声チャネルの有無を判定する（ステップＳ２２）。空きチャネルがある場合、制御部１７は音声交換部１６により、空きチャネルのひとつを用いてその端末との音声パスを接続させる（ステップＳ２３）と共に、その音声チャネルに対してその端末を割り付けたことを、端末‐チャネル割付テーブル１９に記録する（ステップＳ２４）。空きチャネルがない場合、制御部１７は、回線交換網インタフェース回路１２を介して、その端末に対して音声チャネルの空きがない旨を通知する（ステップＳ２５)。
【００３８】
この通知に対する応答動作は内線電話端末と両用端末で異なる。内線電話端末は回線ビジーをオペレータに通知する。これに対して両用端末の場合、図２を参照すると、制御部５１は、回線交換網インタフェース回路５２を介して行っていた音声パス接続要求に代わって、パケット交換網インタフェース回路５３を介して主装置１０に対して音声パス接続要求を行う。
【００３９】
この音声パス接続要求をパケット交換網インタフェース回路１３で受ける（ステップＳ２６）と、制御部１７はパケット交換網インタフェース回路１５の未使用帯域幅と、所定の閾値とを比較する（ステップＳ２７）。閾値は通信システム１００の管理者等が望む通信品質に応じて予め定められる。未使用帯域幅が閾値よりも大きい場合、制御部１７は音声交換部１６に対し、パケット交換網インタフェース回路１３、パケット交換インタフェース回路１５及びパケット交換網３０を介して音声パスを接続する交換処理を実行させる（ステップＳ２８）。逆に未使用帯域幅が閾値よりも小さい場合、制御部１７は端末に対して帯域不十分の旨を通知する（ステップＳ２９）。尚、オフフックされた端末がＩＰ電話端末の場合の動作は、両用端末の場合のステップＳ２６以降と同様であるので説明を省略する。
【００４０】
以上、本発明を実施の形態に基づいて説明したが、本発明はこれに限定されるものではなく、当業者の通常の知識の範囲内でその変更や改良が可能であることは勿論である。
【００４１】
上述の通信システム１００では、主装置１０と端末との間の配線トポロジーはスター型であったが、図６に示す通信システム３００のようにバス型配線であってもよい。図６では図１と同じ機能ブロックについては同じ参照符号を付してある。通信システム１００では主装置１０は接続端末数以上の共通ポート２を備えるが、これに対し、通信システム３００では主装置６０は共通ポート６１をひとつ備える。上述した両用端末を接続する際に使用するものと同様に、８芯のうち４芯をパケット交換網インタフェース回路１３に接続するためのラインとして用い、残りの２乃至４芯を回線交換網インタフェース回路１２に接続するためのラインとして用いたケーブルが共通ポート６１に接続される。同種のケーブルによってバスローゼット７０、７１、…、７ｎが直列に接続される。バスローゼット７０、７１、…、７ｎにて配線は分岐され、分岐先に端末２が接続される。
【００４２】
また、主装置は回線交換網４０を介しての接続状況を監視し、端末‐チャネル割付テーブル１９に記録しているが、同様にパケット交換網３０を介しての接続状況を監視して、その結果をテーブルに格納し、このテーブルを参照することにより、主装置がパケット交換網３０を介しての音声パス接続の可否を判定することとしてもよい。
【００４３】
また、図５では、両用端末は、オペレータのオフフック操作に対して、回線交換網インタフェース回路５２での発信を優先し、音声チャネルの割付を受けられなかった場合にパケット交換網インタフェース回路５３での発信を行うこととしているが、逆に、パケット交換網インタフェース回路５３での発信を優先し、通信品質が確保できない場合に限り、回線交換網インタフェース回路５２で発信することとしてもよい。
【００４４】
更に、両用端末では、パケット交換網３０及び回線交換網４０の接続状況を、オペレータによるオフフック操作に先立って主装置から取得し、これに応じてオフフック操作がなされたときに優先して音声パス接続要求を送信するインタフェース回路を選択する処理を、両用端末２Ａの制御部５１にて実行させることとしてもよい。
【図面の簡単な説明】
【００４５】
【図１】本発明の一実施の形態である通信システム１００の機能ブロック図である。
【図２】両用端末２Ａの機能ブロック図である。
【図３】状態管理テーブル１８の更新処理を説明するためのフローチャートである。
【図４】通信システム１００による音声パス接続処理について主装置１０を中心に説明するためのフローチャートである。
【図５】通信システム１００による音声パス接続処理について両用端末２Ａを中心に説明するためのフローチャートである。
【図６】本発明の実施の形態の変形例である通信システム３００の機能ブロック図である。
【符号の説明】
【００４６】
１００、３００  通信システム
２０、２１、２ｎ  端末
２Ａ  両用端末
１０、６０  主装置
１１、１１０、１１１、１１ｎ  共通ポート
１２、１４  回線交換網インタフェース回路
１３、１５  パケット交換網インタフェース回路
１６  音声交換部
１７  制御部
１８  状態管理テーブル
１９  端末‐チャネル割付テーブル
５１  制御部
５２  回線交換網インタフェース回路
５３  パケット交換網インタフェース回路
５４、６１  共通ポート
５５  音声処理部
５６  受話器
５７  入力部
５８  表示部
７０、７１、７ｎ  バスローゼット
【図１】
2007134853.tif 000005
【図２】
2007134853.tif 000006
【図３】
2007134853.tif 000007
【図４】
2007134853.tif 000008
【図５】
2007134853.tif 000009
【図６】
2007134853.tif 000010